(57)【要約】【課題】部品点数の多い携帯端末専用のスタンドを別途用意しなくても、携帯端末を置いておくことができるカウンタを提供する。【解決手段】一態様のカウンタは、カウンタ面４１と、カウンタ面４１に交差する方向に延びる立面３１に対し所定寸法離れて形成された引掛け部４５と、を備える。引掛け部４５は、立面３１に対して携帯端末７の背面を当てた状態で、携帯端末７の下端部の前方に対向する。【選択図】図１
2020120945.tif 000002
【特許請求の範囲】
【請求項１】
カウンタ面と、
前記カウンタ面に交差する方向に延びる立面に対し所定寸法離れて形成された引掛け部と、
を備え、
前記引掛け部は、前記立面に対して携帯端末の背面を当てた状態で、前記携帯端末の下端部の前方に対向するように構成されている、
カウンタ。
【請求項２】
前記引掛け部は、前記カウンタ面から上方向に突出する少なくとも一つの凸部である、
請求項１記載のカウンタ。
【請求項３】
前記凸部を複数備え、
前記複数の凸部は、前記立面に交差する方向に間隔をおいて形成されている、
請求項２記載のカウンタ。
【請求項４】
前記所定寸法は、３ｃｍ以上２０ｃｍ以下である、
請求項１〜３のいずれか一項に記載のカウンタ。
【請求項５】
前記カウンタ面に隣接するボウルを更に備える、
請求項１〜４のいずれか一項に記載のカウンタ。
【発明の詳細な説明】
【技術分野】
【０００１】
本発明は、カウンタに関する。
【背景技術】
【０００２】
特許文献１には、従来のカウンタが記載されている。特許文献１に記載のカウンタは、カウンタに固定される第１の支持棒と、第１の支持棒に同心状に配置される第２の支持棒と、ステージと、を備える。第２の支持棒は第１の支持棒に対して可動である。第２の支持棒の上端にはステージが設けられている。ステージには、端末機器が取り付けられる。
【０００３】
特許文献１に係るカウンタでは、ステージに端末機器が取り付けられることで、端末機器を用いて、例えば、画像等を見ながら、カウンタで作業をすることができる。
【先行技術文献】
【特許文献】
【０００４】
【特許文献１】特開２００７−１４３６６３号公報
【発明の概要】
【発明が解決しようとする課題】
【０００５】
ところで、特許文献１に記載のカウンタでは、端末機器を取り付けるために、第１の支持棒、第２の支持棒及びステージ等のように部品点数が多い専用のスタンドが、別途必要であるという問題がある。
【０００６】
本発明は、上記事情に鑑みてなされ、部品点数の多い携帯端末専用のスタンドを別途用意しなくても、携帯端末を置いておくことができるカウンタを提供することを目的とする。
【課題を解決するための手段】
【０００７】
本発明に係る一態様のカウンタは、カウンタ面と、前記カウンタ面に交差する方向に延びる立面に対し所定寸法離れて形成された引掛け部と、を備える。前記引掛け部は、前記立面に対して携帯端末の背面を当てた状態で、前記携帯端末の下端部の前方に対向するように構成されている。
【発明の効果】
【０００８】
本発明に係る上記態様のカウンタは、部品点数の多い携帯端末専用のスタンドを別途用意しなくても、携帯端末を置いておくことができる、という利点がある。
【図面の簡単な説明】
【０００９】
【図１】図１は、本発明の一実施形態に係るカウンタの斜視図である。
【図２】図２Ａは、同上のカウンタの引掛け部の周辺の拡大図である。図２Ｂは、引掛け部周辺の鉛直面での縦面図である。
【図３】図３Ａは、変形例１に係る引掛け部の周辺の拡大図である。図３Ｂは、変形例１に係る引掛け部の周辺の鉛直面での断面図である。
【図４】図４は、変形例２に係るカウンタの斜視図である。
【発明を実施するための形態】
【００１０】
（１）実施形態
以下、本実施形態に係るカウンタについて、詳細に説明する。
【００１１】
本実施形態に係るカウンタは、図１に示すように、カウンタ面４１を有する洗面台１である。ただし、本開示に係るカウンタは、カウンタ面４１を有していればよく、例えば、キッチンカウンタ、浴室のカウンタ、テーブル等であってもよい。
【００１２】
洗面台１は設置面に取り付けられている。設置面は、本実施形態では、鉛直面で、かつ洗面台１に沿った面であり、例えば脱衣所等の部屋の壁面である。ここで、本開示では、壁面に直交する方向を「前後方向」として定義し、壁面に沿い、かつ水平面に沿う方向を「左右方向」として定義する。また、前後方向のうち、壁面からカウンタに向かう方向を「前方向」とし、その反対方向を「後方向」として定義する。
【００１３】
洗面台１は、壁面に対し、後方向の端部において、左右方向の全長にわたって接合されており、いわゆる片持ち梁状に支えられている。要するに、本実施形態に係るカウンタは、フロート式カウンタである。本開示でいう「フロート式カウンタ」とは、下方にスペースがあり、一見すると浮いているように見えるカウンタを意味する。
【００１４】
洗面台１は、ミラーキャビネット２と、立面３１を有する立壁３と、カウンタ面４１を有するワークトップ４と、下キャビネット５と、を備える。
【００１５】
ミラーキャビネット２は、鏡扉２２を有する戸棚である。ミラーキャビネット２は、前面に開口面を有するキャビネット２１と、キャビネット２１に対して開口面を開閉可能に取り付けられた鏡扉２２と、を備える。
【００１６】
キャビネット２１は設置面（壁面）に沿って取り付けられる。キャビネット２１の内部は、例えば、複数の仕切りを有し、複数の仕切りによって複数の収納空間が形成されている。キャビネット２１は、本実施形態では、合成樹脂により構成されるが、本開示に係るキャビネット２１は、木材、金属等で構成されてもよい。
【００１７】
鏡扉２２は、鏡２２２を有する扉である。鏡扉２２は、本実施形態では、扉本体２２１と、扉本体２２１の前面に取り付けられた鏡２２２と、を備える。扉本体２２１は、キャビネット２１に対し、回転可能に取り付けられる。扉本体２２１の回転軸は、上下方向に略平行である。扉本体２２１は、キャビネット２１に対して、キャビネット２１の開口面を開閉可能に取り付けられている。鏡２２２は、本実施形態では、板状に形成されており、扉本体２２１の前面において、サッシ等の固定具２２３で取り付けられている。
【００１８】
本実施形態に係る鏡扉２２は、三面鏡を構成する。鏡扉２２は、中央扉２５と、左扉２４と、右扉２３と、を備える。右扉２３の回転軸は、右扉２３の左側の端部にある。左扉２４の回転軸は、左扉２４の右側の端部にある。中央扉２５の回転軸は、中央扉２５の右側の端部にある。ただし、本開示に係る鏡扉２２は、三面鏡でなくてもよく、一つの扉及び鏡２２２で構成されてもよい。
【００１９】
立壁３は、設置面（壁面）に取り付けられた防水壁である。立壁３は、ワークトップ４の後側の端部の上方において、設置面に取り付けられている。本実施形態に係る立壁３は、ミラーキャビネット２に対し、下方と右方とに隣接している。本実施形態に係る立壁３は、ミラーキャビネット２の下端面につながる第一壁３２と、ミラーキャビネット２の左右方向のいずれかの端面（ここでは右端面）につながる第二壁３３と、を備える。第一壁３２及び第二壁３３の下端面は、後述のワークトップ４のバックガード４３の上端面に対し、シーリング材を介して接続されている。
【００２０】
立壁３は、立面３１を有する。立面３１は、立壁３（第一壁３２及び第二壁３３）の前後方向の前側の面である。立面３１は、ワークトップ４の上面（カウンタ面４１）に対して交差する方向に延びる（ここでは、直交している）。本開示でいう「交差する方向に延びる」とは、立面３１がカウンタ面４１に対して、つながっていることを意味するのではなく、立面３１を含む仮想平面が、カウンタ面４１を含む仮想平面に交差していればよい。
【００２１】
下キャビネット５は、ワークトップ４の下方に設けられている。下キャビネット５は、本実施形態では、収納ボックス５１と、収納ボックス５１に対して引出し可能に取り付けられた複数の引出し部５２と、を備える。下キャビネット５は、本実施形態では、床面６に対してスペースを介して上方向に配置された状態で、設置面（壁面）に取り付けられている。
【００２２】
ワークトップ４は、下キャビネット５に載り、設置面に対して固定されている。ワークトップ４は、下キャビネット５に対して取り付けられてもよいし、設置面に対して取り付けられてもよい。本実施形態に係るカウンタ面４１は、左右方向に沿って長手方向を有する平面視矩形状に形成されている。ワークトップ４は、カウンタ面４１と、ボウル４２と、バックガード４３と、引掛け部４５と、を備える。
【００２３】
カウンタ面４１は、例えば、洗顔フォーム、化粧水、化粧品等の小物や、折り畳んだタオル等を置いたり、洗濯後の衣服等を畳んだりするための面を意味する。カウンタ面４１は、本実施形態では水平面に沿っている。カウンタ面４１は、ボウル４２に隣接している。
【００２４】
ボウル４２は、水栓８から吐出された水を受ける。本実施形態に係るボウル４２は洗面ボウルである。ここで言う「洗面ボウル」は、洗面だけを用途とするのではなく、例えば、手、脚等の身体の一部を洗うためや、衣服や物を洗うために用いられてもよい。ボウル４２は、上面に開口面を有している。本実施形態では、ボウル４２の開口面はカウンタ面４１と同一平面上に位置している。したがって、本実施形態では、ボウル４２は、カウンタ面４１から下方向に凹んでいる。
【００２５】
引掛け部４５は、図２Ｂに示すように、立面３１に対して所定寸法Ｌ１離れて形成されている。引掛け部４５は、図１に示すように、立面３１に対して携帯端末７の背面を当てた状態で、携帯端末７の下端部に対して前方に対向する。本実施形態では、携帯端末７は、背面を立面３１に対して当てた状態で、下端部に対して、引掛け部４５が前から当たる。これによって、携帯端末７は、カウンタ面４１の下端部が、前方向に移動するのが制限され、立面３１に対して、安定して斜めに立て掛けられる。
【００２６】
引掛け部４５は、図２Ａに示すように、複数（ここでは３つ）の凸部４５１を備える。複数の凸部４５１は、立面３１に交差する方向に間隔を置いて形成されている。本実施形態では、複数の凸部４５１は、前後方向に一定のピッチで形成されている。これによって、図２Ｂに示すように、携帯端末７のカウンタ面４１に対する傾斜角度を段階的に変化させることができる。
【００２７】
各凸部４５１は、カウンタ面４１から上方向に突出しており、本実施形態では、図２Ｂに示すように、断面三角形状に形成されている。本実施形態では、凸部４５１の斜面４５２，４５３のうち、前側の斜面４５２よりも、後側の斜面４５３のほうが、カウンタ面４１に対する角度が大きい（要するに急勾配である）。本実施形態に係る凸部４５１は、図２Ａに示すように、左右方向に沿って延びた突条である。複数の凸部４５１の長手方向は互いに平行である。
【００２８】
複数の凸部４５１は、図２Ｂに示すように、立面３１に対して所定寸法Ｌ１離れている。本実施形態に係る所定寸法Ｌ１は、３ｃｍ以上２０ｃｍ以下である。本実施形態では、立面３１から３ｃｍ以上２０ｃｍ以下の範囲に、複数の凸部４５１が形成されている。ただし、本開示では、立面３１と、立面３１に最も近い凸部４５１との間の寸法（より詳細には立面３１と凸部４５１の頂部との間の寸法）が３ｃｍ以上２０ｃｍ以下であればよく、凸部４５１は一つでもよい。
【００２９】
携帯端末７は、可搬性を有する情報処理端末である。携帯端末７は、本実施形態では、例えば、タブレット端末、スマートフォン、携帯電話、ＰＤＡ（Personal Digital Assistant）等の通信ネットワークを介して電気信号を授受可能な端末が挙げられる。また、携帯端末７は、液晶テレビ、デジタルフォトフレーム等であってもよい。携帯端末７は、一時的にカウンタ面４１に置くものに限らず、長期間にわたってカウンタ面４１に置かれてもよい。携帯端末７は、有線でデータを送受信可能に構成されてもよい。
【００３０】
このように、本実施形態では、カウンタ面４１と立面３１との間に、携帯端末７を安定して立て掛けておくことができる。このため、ユーザは、例えば、携帯端末７を引掛け部４５と立面３１とに立て掛けながら、化粧又は身支度を行うことができる。しかも、本実施形態では、携帯端末７の表示面を水平面に対して傾斜させた状態で保つことができるため、ユーザは、携帯端末７を見やすい。
【００３１】
また、携帯端末７を引掛け部４５と立面３１とに安定して立て掛けることができるため、ユーザを被写体として、例えば、写真、動画撮影、テレビ電話等を行いやすい。
【００３２】
（２）変形例
上記実施形態は、本開示の様々な実施形態の一つに過ぎない。実施形態は、本開示の目的を達成できれば、設計等に応じて種々の変更が可能である。以下に説明する変形例は、適宜組み合わせて適用可能である。
【００３３】
（２．１）変形例１
上記実施形態では、凸部４５１は、突条であったが、本開示に係る凸部は、図３Ａに示すように、左右方向に離れた複数（ここでは九つ）の突起４５４を備えてもよい。左右方向に離れた複数の突起４５４（これを一列に並ぶ突起４５４という場合がある）は、立面３１に対し所定寸法Ｌ１離れて形成されている。一列に並ぶ突起４５４は、前後方向に複数列並ぶ。本変形例では、複数の突起４５４は、前後方向及び左右方向に３×３となるように、整然と並んでいる。
【００３４】
各突起４５４は、図３Ａに示すように、半球状に形成されている。鉛直断面によれば、各突起４５４は、図３Ｂに示すように、断面半円状に形成されている。
【００３５】
このため、本変形例では、携帯端末７の表示面を前方向に向くようにできるだけでなく、例えば、携帯端末７の下端部が立面３１に対して傾斜するように、携帯端末７を置くことも可能である。
【００３６】
（２．２）変形例２
上記実施形態では、ボウル４２は、カウンタ面４１から下方向に凹んでいたが、例えば、図４に示すような態様であってもよい。本変形例に係るボウル４２は、カウンタ面４１から上方向に突出する、いわゆるベッセル式の洗面器である。本変形例２に係るカウンタは、カウンタ面４１と、ボウル４２と、引掛け部４５と、を備える。
【００３７】
カウンタ面４１には、一つの凸部４５１を含む引掛け部４５を備える。凸部４５１は突条である。本変形例では、立面３１は、設置面に取り付けられた鏡２２２の前面である。
【００３８】
（２．３）その他の変形例
以下、実施形態の変形例を列挙する。
【００３９】
上記実施形態に係る立面３１及び変形例１に係る立面３１は、立壁３の前面であり、変形例２に係る立面３１は鏡２２２の前面であったが、本開示では、立面３１は、壁面（設置面）であってもよい。また、実施形態において、バックガード４３が通常よりも高い、いわゆるハイバックガードである場合、バックガード４３の前面を立面３１としてもよい。
【００４０】
上記実施形態では、引掛け部４５は複数の凸部４５１であったが、本開示では、引掛け部４５は、カウンタ面４１から凹む溝で構成されてもよい。この場合、溝の鉛直に沿った側面が、携帯端末７の下端部に対して前から当たる。
【００４１】
上記実施形態に係る凸部４５１は、カウンタ面４１に一体であったが、本開示では、凸部４５１はカウンタ面４１に対してピン等の別部材が埋め込まれて構成されてもよく、要するにカウンタ面４１に対して別部材で構成されてもよい。
【００４２】
ボウル４２の形状は、略矩形状に限らず、円形、オーバル型、ハート形等であってもよい。また、ボウル４２は、手洗い器等であってもよい。また、本開示に係るカウンタは、少なくともカウンタ面４１を有していればよく、ボウル４２及びバックガード４３はなくてもよい。
【００４３】
上記実施形態では、洗面台１は、フロート式カウンタであったが、床面を設置面として設置面に載る洗面台であってもよい。
【００４４】
本開示にて、「略平行」、又は「略直交」のように「略」を伴った表現が、用いられる場合がある。例えば、「略平行」とは、実質的に「平行」であることを意味し、厳密に「平行」な状態だけでなく、数％程度の誤差を含む意味である。他の「略」を伴った表現についても同様である。
【００４５】
また、本開示において「前端部」及び「前端」などのように、「…端部」と「…端」とで区別した表現が用いられている。例えば、「前端部」とは、「前端」を含む一定の範囲を持つ部分を意味する。他の「…端部」を伴った表現についても同様である。
【００４６】
（３）態様
以上説明したように、第１の態様に係るカウンタは、カウンタ面４１と、カウンタ面４１に交差する方向に延びる立面３１に対し所定寸法Ｌ１離れて形成された引掛け部４５と、を備える。引掛け部４５は、立面３１に対して携帯端末７の背面を当てた状態で、携帯端末７の下端部の前方に対向する。
【００４７】
この態様によれば、カウンタ面４１と立面３１との間に、携帯端末７を安定して立て掛けておくことができる。
【００４８】
第２の態様に係るカウンタでは、第１の態様において、引掛け部４５は、カウンタ面４１から上方向に突出する少なくとも一つの凸部４５１である。
【００４９】
この態様によれば、引掛け部４５を溝とする場合に比べて、カウンタ面４１に汚れが溜まりにくく、また拭き掃除がし易いため、カウンタ面４１を清潔に保ちやすい。
【００５０】
第３の態様に係るカウンタでは、第２の態様において、凸部４５１を複数備える。複数の凸部４５１は、立面３１に交差する方向に間隔をおいて形成されている。
【００５１】
この態様によれば、カウンタ面４１と携帯端末７との角度を、変化させることができ、携帯端末７の表示面をユーザの好みの方向に向けることができる。
【００５２】
第４の態様に係るカウンタでは、第１〜第３のいずれか一つの態様において、所定寸法Ｌ１は、３ｃｍ以上２０ｃｍ以下である。
【００５３】
この態様によれば、一般的なサイズの携帯端末７の表示面を、ユーザに対して見やすい角度にすることができる。
【００５４】
第５の態様に係るカウンタでは、第１〜第４のいずれか一つの態様において、カウンタ面４１に隣接するボウル４２を更に備える。
【００５５】
この態様によれば、洗面台１等の水回りにおいて、携帯端末７を安定的に置くことができる。
【００５６】
第２〜第５の態様に係る構成については、カウンタに必須の構成ではなく、適宜省略可能である。
【符号の説明】
【００５７】
１        洗面台（カウンタ）
４１      カウンタ面
４２      ボウル
４５      引掛け部
４５１    凸部
Ｌ１      所定寸法
７        携帯端末
【図１】
2020120945.tif 000003
【図２】
2020120945.tif 000004
【図３】
2020120945.tif 000005
【図４】
2020120945.tif 000006